(57)【要約】      （修正有）【課題】表面に、黒鉛の芯でもメモ等を記入できるようにすると共に、その記入したメモ等を消すこともできるようにし、利便性を向上したクリアファイルを提供する。【解決手段】クリアファイル１０の露出面に、筆記用ニスを印刷することによって筆記領域１を形成する。筆記用ニスは、ポリエステル樹脂を１５〜２０％、アクリルエステルオリゴマー・モノマーを５０〜６０％、光開始剤を５〜１０％、マット剤を１５〜２０％含有する。【選択図】図２
0003160161.tif 000002
【実用新案登録請求の範囲】
【請求項１】
樹脂シートの間に書類等のシート状の媒体を挟持するクリアファイルにおいて、
前記樹脂シートの前記クリアファイルの露出面となる面に筆記用ニスを印刷することによって筆記領域を形成したことを特徴とするクリアファイル。
【請求項２】
前記筆記用ニスは、ポリエステル樹脂を１５〜２０％、アクリルエステルオリゴマー・モノマーを５０〜６０％、光開始剤を５〜１０％、マット剤を１５〜２０％、及びその他添加剤（ＷＡＸ・重合禁止剤等）を５％未満、それぞれ含有し１００％として成ることを特徴とする請求項１記載のクリアファイル。
【請求項３】
前記樹脂シートの前記クリアファイルの内側となる面に模様を印刷した請求項１又は２に記載のクリアファイル。
【請求項４】
前記樹脂シートの前記クリアファイルの露出面となる面に印刷する筆記用ニスを、前記樹脂シートの前記クリアファイルの内側となる面に印刷する模様と合わせた位置に印刷したことを特徴とする請求項３に記載のクリアファイル。
【考案の詳細な説明】
【技術分野】
【０００１】
本考案は、主に書類を挟んで収納するクリアファイルに関する。
【背景技術】
【０００２】
クリアファイルは、主にポリプロピレン（ＰＰ）シートを重ねて袋状にしたもので、その２枚のＰＰシートの間に主に書類を挟んで使用する。ＰＰシートに印刷により模様を施したクリアファイルもある。
【０００３】
しかし、従来のクリアファイルは、書類等を挟んで使用することを主な用途とし、他の利便性がなかった。特に、クリアファイルはＰＰシート等の樹脂シートで形成されているため、その表面に鉛筆等の黒鉛の芯でメモ等を記入することはできなかった。
【先行技術文献】
【特許文献】
【０００４】
【特許文献１】特開２００９−２６２５１６号公報
【考案の概要】
【考案が解決しようとする課題】
【０００５】
そこで、本考案は、樹脂シートからなるクリアファイルの表面に、黒鉛の芯でもメモ等を記入できるようにすると共に、その記入したメモ等を消すこともできるようにし、クリアファイルの利便性を向上することを課題とする。
【課題を解決するための手段】
【０００６】
本考案では、クリアファイルの露出面に、メモ等を記入させる部位として、筆記用ニスを印刷する。「筆記用ニス」は、以下の成分を含有させ、トータル１００％のニスとしたものである。
・ポリエステル樹脂  １５〜２０％
・アクリルエステルオリゴマー・モノマー  ５０〜６０％
・光開始剤  ５〜１０％
・マット剤  １５〜２０％
・その他添加剤（ＷＡＸ・重合禁止剤等）  ５％未満
【考案の効果】
【０００７】
本考案によれば、樹脂シートからなるクリアファイルの表面に、メモ等を記入するための部位として、筆記用ニスを印刷するので、当該部位に黒鉛の芯でメモ等を記入することができると共に、その記入したメモ等を消すこともでき、クリアファイルの利便性を向上することができる。
【図面の簡単な説明】
【０００８】
【図１】図１はクリアファイルの基本構成を示した構成図である。
【図２】図２は筆記用ニスが施され、デザインされたクリアファイルの表面の構成例である。
【図３】図３はクリアファイルに施す印刷の説明図である。
【考案を実施するための形態】
【０００９】
以下、本考案の実施形態を図面を参照しつつ説明する。図１は、本実施形態におけるクリアファイルの構成図である。本実施形態では、一般的な方形のクリアファイル１０を用いる。即ち、ポリプロピレン（ＰＰ）からなる樹脂シートＳを折曲辺１１において折り曲げて２枚重ねとし、この折曲辺１１に接する１つの接合辺１２を溶着により接合することによって、樹脂シートＳを袋状にする。そして、残り２箇所の開放辺１３，１４から書類Ｄを挿入し、２枚の樹脂シートＳの間に書類Ｄを挟持させるものである。ただし、本願考案の実施にあたりクリアファイルの形状は方形でなくてもよい。
【００１０】
本考案は、このクリアファイル１０の表面（露出面）に、筆記用ニスを印刷することによって、黒鉛の芯による記入が可能な筆記領域を形成することを特徴とする。
【００１１】
筆記用ニス（ＵＶオフセット印刷筆記用透明ニス）は、前記のとおり、以下の成分を含有して成る。
・ポリエステル樹脂  １５〜２０％
・アクリルエステルオリゴマー・モノマー  ５０〜６０％
・光開始剤  ５〜１０％
・マット剤  １５〜２０％
・その他添加剤（ＷＡＸ・重合禁止剤等）  ５％未満
【００１２】
図２に、筆記領域１の形成例を示す。
【００１３】
この図２の例では、カレンダーの各日付ごとに個別の筆記領域１を形成している。図中斜線で塗った部分が各筆記領域を示している。各筆記領域以外の文字、図形および記号などの模様は、筆記用ニスの印刷とは別個に印刷されている。この図２ではクリアファイルの一方の露出面しか示していないが、クリアファイルの他方の露出面に同様に筆記用ニスの印刷を行なってもよい。また、本実施形態ではカレンダーの例を示しているが、本願考案の実施にあたっては、この例に限らず、クリアファイルの模様や筆記領域の配置および数は問わない。
【００１４】
図３は、筆記用ニスとそれ以外の模様とを印刷する構造を示している。筆記用ニス以外の模様は、樹脂シートＳの模様面、即ちクリアファイルの内側となる面に、ＵＶオフセット印刷により印刷する。一方、筆記用ニスは、樹脂シートＳの露出面、即ちクリアファイルの露出側となる面に、ＵＶオフセット印刷により印刷する。印刷は、クリアファイルを組み立てる前、即ち樹脂シートＳが１枚のシートの状態において行なわれる。ここで、筆記用ニスを印刷するタイミングおよび、それ以外の模様を印刷するタイミングは問わない。また、筆記用ニスとそれ以外の模様の印刷に加え、その他の印刷を更に施してもよい。
【００１５】
以上説明した本実施形態によれば、樹脂シートＳからなるクリアファイル１０の露出面に、メモ等を記入するための部位として、筆記用ニスを印刷するので、当該部位に黒鉛の芯でメモ等を記入することができると共に、その記入したメモ等を消すこともでき、クリアファイルの利便性を向上することができる。
【符号の説明】
【００１６】
１    筆記領域
１０  クリアファイル
Ｓ  樹脂シート
【図１】
0003160161.tif 000003
【図２】
0003160161.tif 000004
【図３】
0003160161.tif 000005
【手続補正書】
【提出日】平成22年4月7日(2010.4.7)
【手続補正１】
【補正対象書類名】実用新案登録請求の範囲
【補正対象項目名】請求項２
【補正方法】変更
【補正の内容】
【請求項２】
前記筆記用ニスは、１００％のうちに、ポリエステル樹脂を１５〜２０％、アクリルエステルオリゴマー・モノマーを５０〜６０％、光開始剤を５〜１０％、及びマット剤を１５〜２０％含有することを特徴とする請求項１記載のクリアファイル。